【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
光源装置と、前記光源装置から射出された光束を画像情報に応じて変調して画像光を形成する光変調装置と、前記画像光を拡大投射する投射光学装置とを備えたプロジェクタであって、
前記光源装置、前記光変調装置、および前記投射光学装置を有するプロジェクタ本体と、前記プロジェクタ本体に設けられた反射装置とを備え、
前記反射装置は、
前記投射光学装置の前記画像光の射出方向上に配置されて前記画像光を反射する反射部と、
前記画像光の中心軸に対する前記反射部の傾斜角度を示す角度情報を保持する保持部とを備え、
前記プロジェクタ本体は、
投射される画像光に係る画像情報を取得する画像情報取得手段と、
前記保持部から前記角度情報を取得する角度情報取得手段と、
前記角度情報取得手段により取得された前記角度情報が示す前記反射部の傾斜角度に基づいて、前記画像光が投射される投射面上に形成される画像に歪みが生じないように前記画像情報を補正する歪み補正手段と、
前記歪み補正手段により補正された前記画像情報を前記光変調装置に出力する画像出力手段とを備えていることを特徴とするプロジェクタ。
【請求項２】
請求項１に記載のプロジェクタにおいて、
前記投射面上に形成される画像に歪みが生じないように前記画像情報を補正するための補正データを記憶している記憶手段を備え、
前記補正データは、前記反射部の傾斜角度に対応して記憶され、
前記歪み補正手段は、
前記記憶手段から前記反射部の傾斜角度に対応した前記補正データを取得する取得部と、
取得された前記補正データに基づいて前記画像情報を補正する補正部とを備えていることを特徴とするプロジェクタ。
【請求項３】
請求項１または請求項２に記載のプロジェクタにおいて、
水平面に対する当該プロジェクタの傾斜角度を検出する傾斜角度検出手段を備え、
前記歪み補正手段は、前記傾斜角度検出手段により検出された傾斜角度に基づいて前記画像情報を補正することを特徴とするプロジェクタ。
【請求項４】
請求項１から請求項３のいずれかに記載のプロジェクタにおいて、
前記反射装置は、当該反射装置を前記プロジェクタ本体に着脱自在に取り付ける取付部を備え、
前記取付部には、凹凸により前記角度情報を示す前記保持部が設けられ、
前記角度情報取得手段は、前記凹凸を検出することにより、前記角度情報を取得することを特徴とするプロジェクタ。
【請求項５】
画像光を投射するプロジェクタ本体と、当該プロジェクタ本体から投射された前記画像光を反射する反射装置とを備えたプロジェクタを用いて行われ、表示される画像の歪みを補正する歪み補正方法であって、
前記プロジェクタ本体は、
光源装置と、
前記光源装置から射出された光束を画像情報に応じて変調して画像光を形成する光変調装置と、
前記画像光を拡大投射する投射光学装置とを備え、
前記反射装置は、
前記投射光学装置の前記画像光の射出方向上に配置されて前記画像光を反射する反射部と、
前記画像光の中心軸に対する前記反射部の傾斜角度を示す角度情報を保持する保持部とを備え、
当該歪み補正方法は、前記プロジェクタ本体が、
前記画像情報を取得する画像情報取得工程と、
前記保持部から前記角度情報を取得する角度情報取得工程と、
取得された前記角度情報が示す前記反射部の傾斜角度に基づいて、前記画像光が投射される投射面上に形成される画像に歪みが生じないように前記画像情報を補正する歪み補正工程と、
補正された前記画像情報を前記光変調装置に出力する画像出力工程と、を実行することを特徴とする歪み補正方法。
【請求項６】
請求項５に記載の歪み補正方法において、
前記プロジェクタ本体は、前記反射部の傾斜角度と、当該傾斜角度に対応し、前記投射面上に形成される画像に歪みが生じないように前記画像情報を補正するための補正データとを記憶している記憶手段を備え、
前記歪み補正工程は、
前記記憶手段から前記反射部の傾斜角度に対応した前記補正データを取得する取得手順と、
取得された前記補正データに基づいて前記画像情報を補正する補正手順とを有することを特徴とする歪み補正方法。
【請求項７】
請求項５または請求項６に記載の歪み補正方法において、
前記プロジェクタ本体は、水平面に対する前記プロジェクタの傾斜角度を検出する傾斜角度検出手段を備え、
前記歪み補正工程は、前記プロジェクタ本体が、前記傾斜角度検出手段により検出された傾斜角度に基づいて前記画像情報を補正する他の補正手順を有することを特徴とする歪み補正方法。
【請求項８】
請求項５から請求項７のいずれかに記載の歪み補正方法において、
前記反射装置は、当該反射装置を前記プロジェクタ本体に着脱自在に取り付ける取付部を備え、
前記取付部には、凹凸により前記角度情報を示す前記保持部が設けられ、
前記角度情報取得工程では、前記プロジェクタ本体が、当該プロジェクタ本体に取り付けられた前記反射装置の前記凹凸を検出することにより、前記角度情報を取得することを特徴とする歪み補正方法。
【手続補正２】
【補正対象書類名】明細書
【補正対象項目名】発明の名称
【補正方法】変更
【補正の内容】
【発明の名称】プロジェクタ及び歪み補正方法
【手続補正３】
【補正対象書類名】明細書
【補正対象項目名】０００１
【補正方法】変更
【補正の内容】
【０００１】
本発明は、プロジェクタ及び画像の歪みを補正する歪み補正方法に関する。
【手続補正４】
【補正対象書類名】明細書
【補正対象項目名】０００５
【補正方法】変更
【補正の内容】
【０００５】
本発明の目的は、投射方向を変更でき、かつ、投射された画像に歪みが生じることを抑制できるプロジェクタ及び歪み補正方法を提供することにある。
【手続補正５】
【補正対象書類名】明細書
【補正対象項目名】０００６
【補正方法】変更
【補正の内容】
【０００６】
本発明のプロジェクタは、光源装置と、前記光源装置から射出された光束を画像情報に応じて変調して画像光を形成する光変調装置と、前記画像光を拡大投射する投射光学装置とを備えたプロジェクタであって、前記光源装置、前記光変調装置、および前記投射光学装置を有するプロジェクタ本体と、前記プロジェクタ本体に設けられた反射装置とを備え、前記反射装置は、前記投射光学装置の前記画像光の射出方向上に配置されて前記画像光を反射する反射部と、前記画像光の中心軸に対する前記反射部の傾斜角度を示す角度情報を保持する保持部とを備え、前記プロジェクタ本体は、投射される画像光に係る画像情報を取得する画像情報取得手段と、前記保持部から前記角度情報を取得する角度情報取得手段と、前記角度情報取得手段により取得された前記角度情報が示す前記反射部の傾斜角度に基づいて、前記画像光が投射される投射面上に形成される画像に歪みが生じないように前記画像情報を補正する歪み補正手段と、前記歪み補正手段により補正された前記画像情報を前記光変調装置に出力する画像出力手段とを備えていることを特徴とする。
【手続補正６】
【補正対象書類名】明細書
【補正対象項目名】０００８
【補正方法】変更
【補正の内容】
【０００８】
本発明のプロジェクタでは、前記投射面上に形成される画像に歪みが生じないように前記画像情報を補正するための補正データを記憶している記憶手段を備え、前記補正データは、前記反射部の傾斜角度に対応して記憶され、前記歪み補正手段は、前記記憶手段から前記反射部の傾斜角度に対応した前記補正データを取得する取得部と、取得された前記補正データに基づいて前記画像情報を補正する補正部とを備えていることが好ましい。なお、補正データは、例えば画像情報を補正する際の補正量を含んで構成されている。
【手続補正７】
【補正対象書類名】明細書
【補正対象項目名】００１０
【補正方法】変更
【補正の内容】
【００１０】
本発明のプロジェクタでは、水平面に対する当該プロジェクタの傾斜角度を検出する傾斜角度検出手段を備え、前記歪み補正手段は、前記傾斜角度検出手段により検出された傾斜角度に基づいて前記画像情報を補正することが好ましい。
本発明によれば、前述の反射部の傾斜角度と、水平面に対するプロジェクタの傾斜角度とに基づいて、天井等の投射面上に形成される画像に歪みが生じないように画像情報を補正するので、当該画像に歪みが生じることをより抑制できる。
【手続補正８】
【補正対象書類名】明細書
【補正対象項目名】００１１
【補正方法】変更
【補正の内容】
【００１１】
本発明のプロジェクタでは、前記反射装置は、当該反射装置を前記プロジェクタ本体に着脱自在に取り付ける取付部を備え、前記取付部には、凹凸により前記角度情報を示す前記保持部が設けられ、前記角度情報取得手段は、前記凹凸を検出することにより、前記角度情報を取得することが好ましい。
本発明によれば、取付部に形成された凹凸により保持部が構成されているので、取付部に保持部としてのＲＯＭ（Read Only Memory）を設け、このＲＯＭに角度情報を保持させる構成と比べ、構成を簡素にでき、製造コストを低減できる。
また、本発明の歪み補正方法は、画像光を投射するプロジェクタ本体と、当該プロジェクタ本体から投射された前記画像光を反射する反射装置とを備えたプロジェクタを用いて行われ、表示される画像の歪みを補正する歪み補正方法であって、前記プロジェクタ本体は、光源装置と、前記光源装置から射出された光束を画像情報に応じて変調して画像光を形成する光変調装置と、前記画像光を拡大投射する投射光学装置とを備え、前記反射装置は、前記投射光学装置の前記画像光の射出方向上に配置されて前記画像光を反射する反射部と、前記画像光の中心軸に対する前記反射部の傾斜角度を示す角度情報を保持する保持部とを備え、当該歪み補正方法は、前記プロジェクタ本体が、前記画像情報を取得する画像情報取得工程と、前記保持部から前記角度情報を取得する角度情報取得工程と、取得された前記角度情報が示す前記反射部の傾斜角度に基づいて、前記画像光が投射される投射面上に形成される画像に歪みが生じないように前記画像情報を補正する歪み補正工程と、補正された前記画像情報を前記光変調装置に出力する画像出力工程と、を実行することを特徴とする。
本発明では、前記プロジェクタ本体は、前記反射部の傾斜角度と、当該傾斜角度に対応し、前記投射面上に形成される画像に歪みが生じないように前記画像情報を補正するための補正データとを記憶している記憶手段を備え、前記歪み補正工程は、前記記憶手段から前記反射部の傾斜角度に対応した前記補正データを取得する取得手順と、取得された前記補正データに基づいて前記画像情報を補正する補正手順とを有することが好ましい。
本発明では、前記プロジェクタ本体は、水平面に対する前記プロジェクタの傾斜角度を検出する傾斜角度検出手段を備え、前記歪み補正工程は、前記プロジェクタ本体が、前記傾斜角度検出手段により検出された傾斜角度に基づいて前記画像情報を補正する他の補正手順を有することが好ましい。
本発明では、前記反射装置は、当該反射装置を前記プロジェクタ本体に着脱自在に取り付ける取付部を備え、前記取付部には、凹凸により前記角度情報を示す前記保持部が設けられ、前記角度情報取得工程では、前記プロジェクタ本体が、当該プロジェクタ本体に取り付けられた前記反射装置の前記凹凸を検出することにより、前記角度情報を取得することが好ましい。